(57)【要約】【課題】画一的な構造の例えばビジネスホテル等において身体障害者等に使いやすい身体障害者用ルーム区域を形成することを課題とする。【解決手段】廊下側壁２と窓側壁４との間に複数のシングルルーム区域６を列設したホテル構造における列設された複数のシングルルーム区域６に、シングルルーム区域の間隔幅の２倍の身体障害者用ルーム区域11を組み込んだホテル構造において、身体障害者用ルーム区域11の廊下側壁２の中央部に入口部12を設け、入口部12から窓側壁４に向けて車椅子13の回転幅の通路14を形成し、通路14の左右に廊下側壁２に沿ってそれぞれ浴室15と洗面台乃至便器17の設置室18を形成すると共に、通路14の窓側壁４に沿ってベッド区画24,24を形成するようにしたホテル構造。【選択図】図２
0003127973.tif 000002
【実用新案登録請求の範囲】
【請求項１】
廊下側壁と窓側壁との間に複数のシングルルーム区域を列設したホテル構造における列設された複数のシングルルーム区域に、シングルルーム区域の間隔幅の２倍の身体障害者用ルーム区域を組み込んだホテル構造において、組み込むと共に、身体障害者用ルーム区域の廊下側壁の中央部に入口部を設け、該入口部から窓側壁に向けて車椅子の回転幅の通路を形成し、該通路の左右に廊下側壁に沿ってそれぞれ浴室と洗面台乃至便器設置室を形成すると共に、該通路の窓側壁に沿ってベッド区画を形成するようにしたことを特徴とするホテル構造。
【考案の詳細な説明】
【技術分野】
【０００１】
この考案は、例えばビジネスホテル等において身体障害者用ルーム区域を設けたホテル構造の改良に関するものである。
【背景技術】
【０００２】
近年自治体等においてはハートビル法に基づきホテル等の宿泊設備に身体障害者用ルームを設けることを義務付ける傾向にある。
【０００３】
一般に、身体障害者用ルームとしては、入口部から車椅子の回転幅の通路を形成し、ベッド区画には該通路側に１台のベッドとその奥に他の１台のベッドを並設し、これら２台のベッド何れも利用できるように、上記通路からはこれらベッド端部に回り込める車椅子の回転幅の通路を形成したものが知られている。
【０００４】
一方、ビジネスホテル等においては例えば図４に示すように、廊下１を挟んで一方の廊下側壁２と窓側壁４の間にはシングルルーム区域６，…が列設形成され、他方の廊下側壁３と他方の窓側壁５の間にはツインルーム区域７、ダブルルーム区域８が列設形成されるようなど画一的なホテル構造のものが多く、このようなホテル構造においては上述のように２台の並設されるベッドの端部に回り込める車椅子の回転幅の通路を形成する身体障害者用ルームを組み込むことは極めて困難である。
【０００５】
そこで、本願出願人は先にビジネスホテル等の画一的なホテル構造において、廊下側壁と窓側壁との間に複数のシングルルーム区域を列設したホテル構造において、列設された複数のシングルルーム区域に、シングルルーム区域の間隔幅の２倍の身体障害者用ルーム区域を組み込んだホテル構造を提案した（実用新案登録第3124759号）。
組み込むことを課題とするものである。
【特許文献１】実用新案登録第3124759号
【考案の開示】
【考案が解決しようとする課題】
【０００６】
一方、上記ホテル構造において、身体障害者用ルームの構造は出来るだけコンパクトにするため、身体障害者用ルーム区域の廊下側壁の一端に入口部を設け、該入口部から窓側壁に向けて車椅子の回転幅の第一通路を形成し、該第一通路に沿って浴室区画とベッド区画を設け、更に浴室区画には、最奥部に浴槽を設けるとともに、該浴槽に向けて車椅子の回転幅の第二通路を形成し、該第二通路に沿って洗面台乃至便器を設けたものであった。  
【０００７】
しかし、以上のような構造の身体障害者用ルームでは浴室区画の最奥部に設けられた浴槽で沐浴したり、或いはシャワーを浴びた宿泊者が濡れた状態で洗面台乃至便器前を通るため、洗面台乃至便器前の床面が水浸しになり、滑りやすくなるという不都合を生ずる。  
【課題を解決するための手段】
【０００８】
この考案は、上記実情に鑑み、廊下側壁と窓側壁との間に複数のシングルルーム区域を列設したホテル構造において、列設された複数のシングルルーム区域に、シングルルーム区域の間隔幅の２倍の身体障害者用ルーム区域を組み込んだホテル構造において、組み込むと共に、身体障害者用ルーム区域の廊下側壁の中央部に入口部を設け、該入口部から窓側壁に向けて車椅子の回転幅の通路を形成し、該通路の左右に廊下側壁に沿ってそれぞれ浴室と洗面台乃至便器設置室を形成すると共に、該通路の窓側壁に沿ってベッド区画を形成するようにしたホテル構造を提案するものである。
【考案の効果】
【０００９】
即ち、この考案において、浴室と洗面台乃至便器設置室は身体障害者用ルーム区域の廊下側壁の中央部に設けられた入口部から窓側壁に向けて形成された車椅子の回転幅の通路の左右に設けられているため、浴室で沐浴したり、シャワーを浴びた後、ベッド区画に戻る際に洗面台乃至便器前を通る必要がないため、従来のように洗面台乃至便器前の床面が水浸しになることもない。
【考案を実施するための最良の形態】
【００１０】
廊下側壁と窓側壁との間に複数のシングルルーム区域を列設したホテル構造における列設された複数のシングルルーム区域に、シングルルーム区域の間隔幅の２倍の身体障害者用ルーム区域を組み込んだホテル構造において、組み込むと共に、身体障害者用ルーム区域の廊下側壁の中央部に入口部を設け、該入口部から窓側壁に向けて車椅子の回転幅の通路を形成し、該通路の左右に廊下側壁に沿ってそれぞれ浴室と洗面台乃至便器設置室を形成すると共に、該通路の窓側壁に沿ってベッド区画を形成するようにしたホテル構造。
【実施例１】
【００１１】
以下、この考案を図示の実施例に基づいて詳細に説明すると、図１はこの考案に係わるホテル構造において所定階のフロアーを示すものであり、１は廊下、２は一方の廊下側壁、３は他方の廊下側壁、４は一方の窓側壁、５は他方の窓側壁であり、一方の廊下側壁２と窓側壁４との間にはシングルルーム区域６，…が列設形成され、他方の廊下側壁３と窓側壁５との間にはツインルーム区域７、ダブルルーム区域８が列設形成される。
【００１２】
この考案においては、シングルルーム区域６，…が列設される区域にはシングルルーム区域６の間隔９に対して２倍の幅間隔10を有する身体障害者用ルーム区域11が組み込まれる。
【００１３】
そして、身体障害者用ルーム11の廊下側壁２の中央部には入口部12が設けられ、入口部12から窓側壁４に向けて車椅子13の回転幅の通路14が形成され、通路14の左右に廊下側壁２に沿ってそれぞれ浴室15と洗面台16乃至便器17の設置室18を設ける。
【００１４】
浴室15内には車椅子13の回転幅の洗い場19が設けられ、洗い場19の前面上方にはシャワー20が備えられ、洗い場19の側面には浴槽21が設けられ、浴槽21の後方には車椅子13の利用者が浴槽21内に入る場合の介助空間22を形成され、介助空間22と浴槽21の壁面にはそれぞれ手摺り23,23が設けられている。
【００１５】
一方、通路14の窓側壁４に沿ってベッド区画24,24が形成され、この実施例ではベッド区画24,24は通路14を挟んでセミダブルベッドを設けて構成される。
【００１６】
以上の構成において、浴室15と洗面台16乃至便器17の設置室18は身体障害者用ルーム11区域の廊下側壁２の中央部に設けられた入口部12から窓側壁４に向けて形成された車椅子13の回転幅の通路14の左右に設けられているため、浴室15で沐浴したり、シャワーを浴びた後、ベッド区画24に戻る際に洗面台16乃至便器17前を通る必要がないため、従来のように洗面台乃至便器前の床面が水浸しになることもない。
【００１７】
また、この実施例では浴槽21の後方には空間22が形成されているため、介助者等が空間22に入って車椅子13の利用者を容易に浴槽21に入れることができる。
【００１８】
更に、この実施例では洗い場の上方にシャワー20が設けられているため、利用者はわざわざ浴槽21に入ることなく、洗い場でシャワーを浴びることができる。
【産業上の利用可能性】
【００１９】
以上要するに、この考案によれば画一的な構造の例えばビジネスホテル等において身体障害者等に使いやすい身体障害者用ルーム区域を形成することができる。
【図面の簡単な説明】
【００２０】
【図１】この考案に係わるビジネスホテル等のホテル構造において所定階のフロアーを示す図
【図２】同上の身体障害者用ルーム区域の拡大図
【図３】同上のＡ−Ａ矢印方向より見た図
【図４】従来のビジネスホテル等のホテル構造において所定階のフロアーを示す図
【符号の説明】
【００２１】
１は廊下
２は一方の廊下側壁
３は他方の廊下側壁
４は一方の窓側壁
５は他方の窓側壁
６，…はシングルルーム区域
７はツインルーム区域
８はダブルルーム区域
９はシングルルーム区域の間隔
11は身体障害者用ルーム区域
10は身体障害者用ルーム区域の間隔
12は身体障害者用ルームの入口部
13は車椅子
14は通路
15は浴室
16は洗面台
17は便器
18は洗面台乃至便器設置室
19は洗い場
20はシャワー
21は浴槽
22は介助空間
23,23は手摺り
24,24はベッド区画
【図１】
0003127973.tif 000003
【図２】
0003127973.tif 000004
【図３】
0003127973.tif 000005
【図４】
0003127973.tif 000006